(57)【要約】【課題】リールワインダーを、単に電線をリールに巻くだけでなく、巻き取り能力を兼ね備えたリールワインダーを提供する。【解決手段】回転自在に支持されたリール４と、リール４を駆動させる駆動装置と、前記リール４に電線を誘導してリール４に整列巻きをさせるトラバーサ１１を有するリールワインダーにおいて、リール４に巻かれる電線の張力を測定する張力検出装置１３を設け、また、リール４に巻き付いた電線表面に対向する位置に、当該電線表面との距離を測定する距離センサ１５を設け、また、前記リール４の一方の鍔４ａに電線端を通す孔２１を設け、この孔２１の先の鍔４ａの外面に電線端末把持具２２を設け、前記張力検出装置１３で測定した張力に対し、前記距離センサ１５による電線表面との距離の値により巻き胴径を算出し、これにより必要トルクを算出し、前記駆動装置を制御する制御装置１６を備えた。【選択図】      図１
2011050194.tif 000002
【特許請求の範囲】
【請求項１】
架台に回転自在に支持されたリールと、当該リールを駆動させる駆動装置と、前記リールに電線を誘導してリールに整列巻きをさせるトラバーサを有するリールワインダーにおいて、
リールに巻かれる電線の張力を測定する張力検出装置を設け、また、リールに巻き付いた電線表面に対向する位置に、当該電線表面との距離を測定する距離センサを設け、また、前記リールの一方の鍔に電線端を通す孔を設け、この孔の先の鍔の外面に電線端末把持具を設け、
前記張力検出装置で測定した張力に対し、前記距離センサによる電線表面との距離の値により巻き胴径を算出し、これにより必要トルクを算出し、前記駆動装置を制御する制御装置を備えたことを特徴とする、電線巻き取り能力を有するリールワインダー。
【請求項２】
前記リールの一方の鍔に設けた孔及び電線端末把持具はリールの胴部外周の接線方向に位置したことを特徴とする、請求項１に記載の電線巻き取り能力を有するリールワインダー。
【請求項３】
前記電線端末把持具は、二枚の板体を蝶番で重合自在に設け、これらの板体の少なくとも一方に、電線断面の一部を挿入する断面略半円形の細長い溝を、板体の一端から端まで設け、これらの板体を重合した際、板体の自由端をボルト、ナットで固定自在としたことを特徴とする、請求項１又は２に記載の電線巻き取り能力を有するリールワインダー。
【請求項４】
前記電線端末把持具の少なくとも一方に設けた断面略半円形の細長い溝を複数個平行に設け、これらの各細長い溝の断面略半円形の径を相互に異なるように設けたことを特徴とする、請求項３に記載の電線巻き取り能力を有するリールワインダー。
【請求項５】
鉄塔間の電線の張り替え又は撤去作業において、
旧線を巻き取る側の鉄塔下に、前記請求項１〜３のいずれかの電線巻き取り能力を有するリールワインダーを設置して、当該リールワインダーで直接張り替える又は撤去する旧線を巻き取ることを特徴とする、電線の張り替え又は撤去工法。
【発明の詳細な説明】
【技術分野】
【０００１】
この発明は、電線巻き取り能力を有するリールワインダー及びこれを用いた、鉄塔間の電線張り替え又は電線撤去方法に関するものである。
【背景技術】
【０００２】
従来、図１０に示すように、鉄塔Ａと鉄塔Ａ（ただし、図では一方のみ図示）間の電線を新しいものに張り替えるか、又は電線を撤去する場合、既設電線を親線Ｂとし、この親線Ｂに一定間隔で複数の吊金車Ｃを吊り下げ（図では１個の吊金車のみ図示）、この吊金車Ｃに、張り替える又は撤去する旧線Ｄを吊るして、一方の鉄塔Ａの下に設置した巻き取り型延線車Ｅで、旧線Ｄを巻き取り、この旧線Ｄをさらに、リールワインダーＦで巻き取っていた。前記巻き取り型延線車Ｅは専ら電線を引っ張って巻き取る力を備えたもので、前記リールワインダーＦは、延線車が巻き取った電線をリールに巻き付けていくものである。このように、電線の張り替え又は撤去作業においては、巻き取り型の延線車とリールワインダーを用いる方法が採られていた。
【０００３】
この方法は、特許文献１の「発明が解決しようとする課題」にも、「この旧送電線の撤去作業は小型機器が存在せず、工事規模にかかわらず巻取型延線車、リールワインダー等の大型機器を使用するため、広い工事用地が必要であった。」と記載されている。
【０００４】
【特許文献１】特開平９−２８９７１６号公報
【発明の開示】
【発明が解決しようとする課題】
【０００５】
しかしながら、このような電線の張り替え又は撤去作業において、延線車とリールワインダーを用いた場合、場所を取り、特に、都市部での作業には、不向きである。なぜなら、前記延線車は、図１１に示すように、全長が２．５ｍ、全幅が１．２ｍ、高さが１．８ｍもあり場所を取ると共に、総重量が約２．３トンもあるため現場への搬入も手間のかかるものであった。
【０００６】
そこで、この発明は、このような従来技術を考慮したものであって、前記リールワインダーを、単に電線をリールに巻くだけでなく、巻き取り能力を兼ね備えた張力制御型リールワインダーを提供するとともに、このリールワインダーを用いた電線張り替え又は撤去方法を提供することを目的としたものである。
【課題を解決するための手段】
【０００７】
請求項１の発明は、架台に回転自在に支持されたリールと、当該リールを駆動させる駆動装置と、前記リールに電線を誘導してリールに整列巻きをさせるトラバーサを有するリールワインダーにおいて、リールに巻かれる電線の張力を測定する張力検出装置を設け、また、リールに巻き付いた電線表面に対向する位置に、当該電線表面との距離を測定する距離センサを設け、また、前記リールの一方の鍔に電線端を通す孔を設け、この孔の先の鍔の外面に電線端末把持具を設け、前記張力検出装置で測定した張力に対し、前記距離センサによる電線表面との距離の値により巻き胴径を算出し、これにより必要トルクを算出し、前記駆動装置を制御する制御装置を備えた、電線巻き取り能力を有するリールワインダーとした。
【０００８】
また、請求項２の発明は、請求項１の発明において、前記リールの一方の鍔に設けた孔及び電線端末把持具はリールの胴部外周の接線方向に位置した、電線巻き取り能力を有するリールワインダーとした。
【０００９】
また、請求項３の発明は、前記電線端末把持具は、二枚の板体を蝶番で重合自在に設け、これらの板体の少なくとも一方に、電線断面の一部を挿入する断面略半円形の細長い溝を、板体の一端から端まで設け、これらの板体を重合した際、板体の自由端をボルト、ナットで固定自在とした、請求項１又は２に記載の電線巻き取り能力を有するリールワインダーとした。
【００１０】
また、請求項４の発明は、前記電線端末把持具の少なくとも一方に設けた断面略半円形の細長い溝を複数個平行に設け、これらの各細長い溝の断面略半円形の径を相互に異なるように設けた、請求項３に記載の電線巻き取り能力を有するリールワインダーとした。
【００１１】
また、請求項５の発明は、鉄塔間の電線の張り替え又は撤去作業において、旧線を巻き取る側の鉄塔下に、前記請求項１〜３のいずれかの電線巻き取り能力を有するリールワインダーを設置して、当該リールワインダーで直接張り替える又は撤去する旧線を巻き取る、電線の張り替え又は撤去工法とした。
【発明の効果】
【００１２】
請求項１の発明によれば、当該リールワンンダーに巻き込む電線の張力を測定することにより電線を巻き取る力を検出し、リールに巻き付いた電線による巻き胴径を算出して、必要トルクを算出し、これを駆動装置に反映させるため、リールの巻き胴径にかかわらず、常に一定の高い巻取り力を有する。従って、延線車を用いること無く、単独で電線を巻き取ることができる。しかも、巻き取る電線端末を把持する把持具を設けているため、電線端末把持具に電線端を把持させれば、電線の巻き始めから、電線端末が強固に固定され、巻き取り作業が容易にできる。さらに当該電線端末把持具はリールの一方の鍔の外面に設けているため、電線を鍔に設けた孔に通して、外側に出した電線を把持するため、リールにおける電線の巻き取りの邪魔にならない。
【００１３】
また、請求項２の発明によれば、前記リールの一方の鍔に設けた孔及び電線端末把持具はリールの胴部外周の接線方向に位置して設けたため、電線端が当該電線端末把持具に把持された後、これに続く電線はリールの胴部に巻かれるため、電線は無理なく把持され、当該把持具への取り付け作業及び電線の巻き取り作業を極めて容易に行うことができる。
【００１４】
また、請求項３の発明によれば、電線端末把持具は二枚の板体を蝶番で重合自在に設け、その少なくとも一方の板体に、電線断面の一部を挿入する断面略半円形の細長い溝を、板体の一端から端まで設け、これらの板体を重合した際、二枚の板体の自由端をボルトナットで固定自在としたため、電線の把持具への取り付け作業が極めて容易である。また、板体の細長い溝に電線を入れて、二枚の板体を重合させると、電線断面の一部は、前記細長い溝に入らず、ボルトナットの締め付けにより、二枚の板体間に強固に挟持される。従って、電線の巻き取り作業において、電線端末が当該電線端末把持具からむやみに抜けるおそれがない。
【００１５】
また、請求項４の発明によれば、電線端末把持具には断面径の異なる細長い溝が複数個用意されているため、把持する電線径に合わせて挿入する溝を選ぶことができ、複数種類の電線であっても確実に把持することができる。
【００１６】
また、請求項５の発明によれば、鉄塔間の電線の張り替え又は撤去作業において、旧線を巻き取る側の鉄塔下に、前記請求項１〜３のいずれかの電線巻き取り能力を有するリールワインダーを設置して、当該リールワインダーで直接旧線を巻き取ることができるため、従来のように延線車を設置する必要がなく、当該リールワインダーだけで作業が行え、従って、現場に設置する機器の数を減らし、作業効率を上げることができると共に、場所を取らないため、都市部での作業に便利である。
【発明を実施するための最良の形態】
【００１７】
この発明は、架台に回転自在に支持されたリールと、当該リールを駆動させる駆動装置と、前記リールに電線を誘導してリールに整列巻きをさせるトラバーサを有するリールワインダーにおいて、リールに巻かれる電線の張力を測定する張力検出装置を設け、また、リールに巻き付いた電線表面に対向する位置に、当該電線表面との距離を測定する距離センサを設け、また、前記リールの一方の鍔に電線端を通す孔を設け、この孔の先の鍔の外面に電線端末把持具を設け、前記張力検出装置で測定した張力に対し、前記距離センサによる電線表面との距離の値により巻き胴径を算出し、これにより必要トルクを算出し、前記駆動装置を制御する制御装置を備えた、電線巻き取り能力を有するリールワインダーとした。
【実施例１】
【００１８】
以下、この発明の実施例１を図に基づいて説明する。図１はこの発明のリールワインダーの正面図、図２は同平面図である。
【００１９】
扁平な架台１の上面の後部に間隔をあけて二本の軸受け支柱２、２を設け、これらの軸受け支柱２の間に主軸３をわたして設け、当該主軸３にリール４を装着している。これらの主軸３とリール４とは一体に回転する構成となっている。また、前記主軸３の一端にはクラッチ５、チェーン６、減速機７、電動機８等が設けられ、電動機８の駆動回転が前記主軸３に伝達される。また、これらの回転を制御する負作動電磁ブレーキ９を有している。
【００２０】
また、前記架台１の上面の前部の、前記電動機８の上方となる位置にフレーム１０を設け、当該フレーム１０の上面にトラバーサ１１を設けている。このトラバーサ１１は前記フレーム１０の上面の左右方向に設けた回転軸１１ａの回転によって当該回転軸１１ａに沿って移動自在に設けられている。また、この回転軸１１ａに平行して、その後方にレール１２を設け、このレール１２に沿って張力検出装置１３が移動自在に設けられ、当該張力検出装置１３の前後に、縦横の３点ローラ１４が設けられている。そして、前記トラバーサ１１、張力検出装置１３及び３点ローラ１４は、一体に移動する構成となっている。
【００２１】
また、前記リール４の胴部に対向するフレーム１０の位置に、レーザポインターから成る距離センサ１５が設けられ、リール４の胴部又は当該胴部に巻き付いた電線表面との距離を測るものである。また、前記フレーム１０の側面には制御装置１６が設けられ、この制御装置１６により、前記張力検出装置１３で測定した張力に対し、前記距離センサ１５による前記距離の測定値により、巻き胴径を算出し、これにより前記主軸の必要回転トルクを算出し、前記電動機８をインバータにより制御する。
【００２２】
図３はリール４に巻き付けられた電線（ワイヤ）の張力を検出する前記張力検出装置１３と、リール４の巻き胴径を測る距離センサ１５との関係を示す原理図である。なお、図１、及び２において、１７は固定キャプスタン、１８は操作盤、１９は端子箱である。
【００２３】
また、前記リール４の一方の鍔４ａには、リール４の胴部円周の接線方向に長孔２１が設けられ、さらの同接線方向の位置に電線端末把持具２２が設けられている。図４乃至図６は、前記リール４、長孔２１及び電線端末把持具２２の詳細を示す図面であり、図４はリール４の側面図、図５はリール４の正面図、図６はリール４の断面平面図である。
【００２４】
前記電線端末把持具２２は、図７及び図８に示すように、略２枚の板体２２ａと２２ｂとから成り、これらの板体２２ａと２２ｂとは、蝶番２２ｃで重合自在に設けられている。そして、前記鍔４ａに固定された板体２２ａの一端には、複数のボルト２３の一端が回転自在に設けられ、これらの各ボルト２３の他端は、他方の板体２２ｂの自由端に設けられた各切込み２４に、当該板体２２ｂを板体２２ａに重ねた際に挿入自在であり、板体２２ｂの外面から突出したボルト２３の他端に螺着したナット２５を締め付けることにより二枚の板体２２ａ及び２２ｂは、強固に重合を保持される。
【００２５】
また、当該電線端末把持具２２の前記板体２２ａの、他方の板体２２ｂと対向する面には、断面半円形の細長い溝２６が、当該板体２２ａの一端から他端まで複数設けられ、複数の各細長い溝２６の断面径は相互に異なっている。また、これらの複数の細長い溝２６うち、大径の細長い溝２６に対向する板体２２ｂの面にも、断面半円形の細長い溝２７が設けられている。そして、電線端末を大径の細長い溝２６に入れ、板体２２ａ及び２２ｂを重合した際、前記電線の断面は細長い溝２６及び２７からはみ出る大きさとなっており、前記ボルト２３及びナット２５の締め付けによって、電線は強固に把持される構成となっている。
【００２６】
また、この実施例では、前記小径の細長い溝２６に対向する細長い溝２７を板体２２ｂに設けておらず、電線端末を当該細長い溝２６に入れた際も、電線断面はこの小径の細長い溝２６に全部入らず、細長い溝２６からはみ出す構成となっている。この場合、板体２２ｂに、前記小径の細長い溝２６に対向する小径の細長い溝２７を設けてもよい。さらに、前記板体２２ｂは、板体２２ａに対向する面が自由端に向かってテーパーとなっている。これは、電線端末を把持した際、ボルト２３及びナット２５の締め付けの締め代となっている。
【００２７】
また、図９はこの発明のリールワインダーＦ´を使用した、電線張替え又は電線撤去工法を示す概略構成図である。張り替える又は撤去する電線である旧線Ｄの後端に新線又はワイヤＧを接続し、一方の鉄塔Ａの繰り出し側にリールＨ及び延線車Ｉを設置し、他方の鉄塔Ａの巻き取り側には、この発明のリールワインダーＦ´を設置し、繰り出し側ではリールＨから新線又はワイヤＧを引き出し、延線車Ｉで繰り出す。一方、巻き取り側では、リールワインダーＦ´で旧線Ｄを直接巻き取るものである。従って、従来のように、巻き取り型の延線車Ｅを使用する必要がない。
【図面の簡単な説明】
【００２８】
【図１】この発明の実施例１のリールワインダーの正面図である。
【図２】この発明の実施例１のリールワインダーの平面図である。
【図３】この発明の実施例１のリールワインダーのリールに巻き付けられた電線（ワイヤ）の張力を検出する張力検出装置と、巻き胴径を測る距離センサとの関係を示す原理図である。
【図４】この発明の実施例１の長孔及び電線端末把持具の詳細を示すリールの側面図である。
【図５】この発明の実施例１の長孔及び電線端末把持具の詳細を示すリールの正面図である。
【図６】この発明の実施例１の長孔及び電線端末把持具の詳細を示すリールの断面平面図である。
【図７】この発明の実施例１の電線端末把持具の正面図である。
【図８】この発明の実施例１の電線端末把持具の二枚の板体を開いた状態の正面図である
【図９】この発明の実施例１のリールワインダーを使用した電線張替え又は撤去工法を示す構成図である。
【図１０】従来の電線張替え工法を示す構成図である。
【図１１】巻き取り型延線車の正面図である。
【符号の説明】
【００２９】
１      架台                        ２      軸受け支柱
３      主軸                        ４      リール
４ａ    鍔                          ５      クラッチ
６      チェーン                    ７      減速機
８      電動機                      ９      負作動電磁ブレーキ
１０    フレーム                    １１    トラバーサ
１２    レール                      １３    張力検出装置
１４    ３面ローラ                  １５    距離センサ
１６    制御装置                    １７    固定キャプスタン
１８    操作盤                      １９    端子箱
２１    長孔                        ２２    電線端末把持具
２２ａ  板体                        ２２ｂ  板体
２２ｃ  蝶番                        ２３    ボルト
２４    切り込み                    ２５    ナット
２６    細長い溝                    ２７    細長い溝
【図１】
2011050194.tif 000003
【図２】
2011050194.tif 000004
【図３】
2011050194.tif 000005
【図４】
2011050194.tif 000006
【図５】
2011050194.tif 000007
【図６】
2011050194.tif 000008
【図７】
2011050194.tif 000009
【図８】
2011050194.tif 000010
【図９】
2011050194.tif 000011
【図１０】
2011050194.tif 000012
【図１１】
2011050194.tif 000013